Podtech/llm-jp-corpus-v4-ja_patent huggingface dataset:
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
Ｃｕ−Ｋα照射（１．５４１８４Å）により測定した２θ（°）±０．２°で、１２．２°、１５．５°、１８．３°、２１．７°および２２．７°にピークを含むＸ線粉末回折スペクトルを有する、（−）−６−クロロ−４−（２−ヒドロキシエチル）−４−メチル−２Ｈ−スピロ［イソキノリン−１，３’−オキセタン］−３（４Ｈ）−オンの結晶形態。
【請求項２】
Ｃｕ−Ｋα照射（１．５４１８４Å）により測定し２θ（°）±０．２°で、６．７°、１１．１°、１２．２°、１３．７°、１５．５°、１６．２°、１７．０°、１８．３°、２１．７°および２２．７°にピークを含むＸ線粉末回折スペクトルを有する、、（−）−６−クロロ−４−（２−ヒドロキシエチル）−４−メチル−２Ｈ−スピロ［イソキノリン−１，３’−オキセタン］−３（４Ｈ）−オンの結晶形態。
【請求項３】
Ｃｕ−Ｋα照射（１．５４１８４Å）により測定した２θ（°）±０．２°で、１２．１°、１５．６°、１６．６°、２１．４°および２３．４°にピークを含むＸ線粉末回折スペクトルを有する、４，４−ジメチル−３−オキソ−３，４−ジヒドロ−２Ｈ−スピロ［イソキノリン−１，３’−オキセタン］−６−カルボニトリルの結晶形態。
【請求項４】
Ｃｕ−Ｋα照射（１．５４１８４Å）により測定した２θ（°）±０．２°で、８．３°、１２．１°、１５．６°、１６．６°、１７．３°、２０．５°、２１．４°、２３．４°、２４．０°および２５．７°にピークを含むＸ線粉末回折スペクトルを有する、４，４−ジメチル−３−オキソ−３，４−ジヒドロ−２Ｈ−スピロ［イソキノリン−１，３’−オキセタン］−６−カルボニトリルの結晶形態。
【請求項５】
請求項１〜４のいずれかに記載の結晶形態と医薬的に許容される賦形剤を含む医薬組成物。
【請求項６】
請求項１〜４のいずれかに記載の結晶形態を含んでなり、腹圧性尿失禁（ＳＵＩ）、混合型尿失禁（ＭＵＩ）および便失禁からなる群より選択される疾患または状態を治療するための医薬組成物。
【請求項７】
請求項１〜４のいずれかに記載の結晶形態を含んでなり、虚弱およびサルコペニアからなる群より選択される疾患または状態を治療するための医薬組成物。
【請求項８】
請求項１〜４のいずれかに記載の結晶形態を含んでなり、慢性閉塞性肺疾患（ＣＯＰＤ）に伴う悪液質により誘発される筋力低下を治療するための医薬組成物。
【請求項９】
請求項１〜４のいずれかに記載の結晶形態を含んでなり、心不全、がん、または、慢性腎疾患／透析に起因する悪液質症候群および／または筋肉疲労を治療するための医薬組成物。
【請求項１０】
請求項１〜４のいずれかに記載の結晶形態を含んでなり、筋萎縮性側索硬化症（ＡＬＳ）、脊髄性筋萎縮症（ＳＭＡ）、重症筋無力症および筋肉ミオパシーからなる群より選択される疾患または状態を治療するための医薬組成物。
【請求項１１】
請求項１〜４のいずれかに記載の結晶形態を含んでなり、脊髄損傷（ＳＣＩ）後の筋肉機能不全および脳卒中後の筋肉機能不全からなる群より選択される疾患または状態を治療するための医薬組成物。
【請求項１２】
請求項１〜４のいずれかに記載の結晶形態を含んでなり、末梢血管疾患または末梢動脈疾患に伴う筋力低下および疲労を治療するための医薬組成物。
【請求項１３】
請求項１〜４のいずれかに記載の結晶形態を含んでなり、手術後の筋力低下を治療するための医薬組成物。
【請求項１４】
請求項１〜４のいずれかに記載の結晶形態を含んでなり、メタボリックシンドロームまたは肥満に伴う筋力低下を治療するための医薬組成物。
【請求項１５】
請求項１〜４のいずれかに記載の結晶形態を含んでなり、人工呼吸器誘発性筋力低下および慢性疲労症候群を治療するための医薬組成物。
【請求項１６】
腹圧性尿失禁（ＳＵＩ）、混合型尿失禁（ＭＵＩ）および便失禁からなる群より選択される疾患または状態を治療するための医薬組成物を製造するための、請求項１〜４のいずれかに記載の結晶形態の使用。
【請求項１７】
虚弱およびサルコペニアからなる群より選択される疾患または状態を治療するための医薬組成物を製造するための、請求項１〜４のいずれかに記載の結晶形態の使用。
【請求項１８】
慢性閉塞性肺疾患（ＣＯＰＤ）に伴う悪液質により誘発される筋力低下を治療するための医薬組成物を製造するための、請求項１〜４のいずれかに記載の結晶形態の使用。
【請求項１９】
心不全、がん、または、慢性腎疾患／透析に起因する悪液質症候群および／または筋肉疲労を治療するための医薬組成物を製造するための、請求項１〜４のいずれかに記載の結晶形態の使用。
【請求項２０】
筋萎縮性側索硬化症（ＡＬＳ）、脊髄性筋萎縮症（ＳＭＡ）、重症筋無力症および筋肉ミオパシーからなる群より選択される疾患または状態を治療するための医薬組成物を製造するための、請求項１〜４のいずれかに記載の結晶形態の使用。
【請求項２１】
脊髄損傷（ＳＣＩ）後の筋肉機能不全および脳卒中後の筋肉機能不全からなる群より選択される疾患または状態を治療するための医薬組成物を製造するための、請求項１〜４のいずれかに記載の結晶形態の使用。
【請求項２２】
末梢血管疾患または末梢動脈疾患に伴う筋力低下および疲労を治療するための医薬組成物を製造するための、請求項１〜４のいずれかに記載の結晶形態の使用。
【請求項２３】
手術後の筋力低下を治療するための医薬組成物を製造するための、請求項１〜４のいずれかに記載の結晶形態の使用。
【請求項２４】
メタボリックシンドロームまたは肥満に伴う筋力低下を治療するための医薬組成物を製造するための、請求項１〜４のいずれかに記載の結晶形態の使用。
【請求項２５】
人工呼吸器誘発性筋力低下および慢性疲労症候群を治療するための医薬組成物を製造するための、請求項１〜４のいずれかに記載の結晶形態の使用。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
配列番号1に対して少なくとも90%の配列同一性を有する2つのgp130-Fcモノマーを含むポリペプチドダイマーであって、好ましくは、前記モノマーは、1又は複数のジスルフィド架橋によって連結され、
a.前記ポリペプチドダイマーは、ポリペプチド1モル当たり6モル%以下のガラクトース-アルファ-1,3-ガラクトース、好ましくは3モル%以下、より好ましくは1モル%以下、なおより好ましくは0.5モル%以下のガラクトース-アルファ-1,3-ガラクトースを含むか、
b.前記ポリペプチドダイマーは、グリカンを含み、前記グリカンの少なくとも52%、好ましくは少なくとも54%、より好ましくは52〜65%の平均は、1若しくは複数のシアル酸残基を含むか、又は
c.両方である、ポリペプチドダイマー。
【請求項２】
前記モノマーが、配列番号1を有する、請求項1に記載のポリペプチドダイマー。
【請求項３】
前記モノマーが、配列番号2を有する、請求項1に記載のポリペプチドダイマー。
【請求項４】
配列番号1を、細胞、好ましくは哺乳動物細胞中で発現させる工程、培養培地中で前記細胞を培養する工程、並びに前記細胞及び/又は細胞培養培地から前記ポリペプチドダイマーを収集する工程によって取得可能であり、好ましくは、前記ダイマーが、精製及び/又は濃縮される、請求項1から3のいずれか一項に記載のポリペプチドダイマー。
【請求項５】
請求項1から4のいずれか一項に記載のポリペプチドダイマーを含む組成物であって、
a.前記ポリペプチドダイマーの5%以下が、オリゴマー性凝集体として存在するか、
b.前記組成物が、4.0質量%以下の、配列番号1のポリペプチドに関して配列番号1のポリペプチドのトランケート型であるポリペプチドを含み、好ましくは3%以下、より好ましくは1.5%以下、最も好ましくは1.0%以下の前記ポリペプチドが、オリゴマーとして存在するか、又は
c.両方である、組成物。
【請求項６】
界面活性剤を更に含む、請求項1から4のいずれか一項に記載のポリペプチドダイマーを含む組成物又は請求項5に記載の組成物。
【請求項７】
前記界面活性剤が非イオン性界面活性剤であり、好ましくは、前記界面活性剤がポリソルベート界面活性剤であり、より好ましくは、前記界面活性剤がポリソルベート20である、請求項6に記載の組成物。
【請求項８】
請求項1から4のいずれか一項に記載のポリペプチドダイマーを含む組成物又は請求項5から7のいずれか一項に記載の組成物であって、緩衝剤及び糖を更に含み、好ましくは、前記緩衝剤がヒスチジンであり、好ましくは、前記糖がスクロースである、組成物。
【請求項９】
ヒトにおける炎症性疾患又はIL-6媒介性状態の処置における使用のための、請求項1から4のいずれか一項に記載のポリペプチドダイマー又は請求項5から8のいずれか一項に記載の組成物。
【請求項１０】
前記炎症性疾患又はIL-6媒介性状態が、炎症性腸疾患であり、好ましくは、前記処置が、炎症性腸疾患の寛解を誘導する、請求項9に記載の使用のためのポリペプチドダイマー又は組成物。
【請求項１１】
前記炎症性腸疾患が、クローン病又は潰瘍性大腸炎であり、好ましくは、前記処置が、炎症性腸疾患の寛解を維持する、請求項9に記載の使用のためのポリペプチドダイマー又は組成物。
【請求項１２】
前記炎症性疾患若しくはIL-6媒介性状態が、関節リウマチ、乾癬、ブドウ膜炎若しくはアテローム性動脈硬化症である;又は前記炎症性疾患若しくはIL-6媒介性状態が、炎症性腸疾患と関連しない大腸炎であり、好ましくは、前記大腸炎が、放射線大腸炎、憩室性大腸炎、虚血性大腸炎、感染性大腸炎、セリアック病、自己免疫性大腸炎、若しくは結腸に影響を与えるアレルギーに起因する大腸炎である、請求項9に記載の使用のためのポリペプチドダイマー又は組成物。
【請求項１３】
非経口投与、好ましくは、静脈内投与又は皮下投与される、請求項9から12のいずれか一項に規定の使用のためのポリペプチドダイマー又は組成物。
【請求項１４】
配列番号1を含むアミノ酸配列を、細胞、好ましくは哺乳動物細胞中で発現させる工程、培養培地中で前記細胞を培養する工程、並びに前記細胞及び/又は細胞培養培地から前記ポリペプチドダイマーを収集する工程を含み、好ましくは、前記ダイマーが、精製及び/又は濃縮される、請求項1又は2に記載のポリペプチドダイマーを産生するための方法。
【請求項１５】
前記細胞が哺乳動物細胞である、請求項14に記載のポリペプチドダイマーを産生するための方法。
【請求項１６】
前記細胞がチャイニーズハムスター卵巣(CHO)細胞である、請求項15に記載の方法。
【請求項１７】
配列番号1をコードする核酸を含む、ベクター。
【請求項１８】
請求項17に記載のベクターを含む、細胞。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
以下の式
【化１】
2021073250.tif 000001
［式中、
Ｘ１は、
【化２】
2021073250.tif 000002
であり、
Ｘ５は、ＨまたはＣＨ３である。］
で示される化合物、またはその薬学的に許容される塩である、ただし、以下の化合物
【化３】
2021073250.tif 000003
を除く、化合物。
【請求項２】
請求項１に記載の化合物および薬学的に許容される希釈剤または担体を含む医薬組成物。
【請求項３】
タンパク質チロシンホスファターゼ１Ｂ（ＰＴＰ１Ｂ）の阻害が介在する哺乳動物における障害を処置するための、請求項１に記載の化合物またはその薬学的に許容される塩を含む医薬組成物。
【請求項４】
該障害が、糖尿病、肥満および血清高コレステロールからなる群より選択される、請求項３に記載の医薬組成物。
【手続補正書】
【提出日】令和3年4月30日(2021.4.30)
【手続補正１】
【補正対象書類名】明細書
【補正対象項目名】発明の名称
【補正方法】変更
【補正の内容】
【発明の名称】電子機器
【手続補正２】
【補正対象書類名】特許請求の範囲
【補正対象項目名】全文
【補正方法】変更
【補正の内容】
【特許請求の範囲】
【請求項１】
折り畳み可能な表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように折り畳むことができ、
前記表示装置を折り畳んだ状態では、前記発光素子は発光しない、電子機器。
【請求項２】
折り畳み可能な表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように折り畳むことができ、
前記表示装置を折り畳んで前記表示面が見えない状態では、前記発光素子は発光しない、電子機器。
【請求項３】
三つ折り可能な表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように三つ折りすることができ、
前記表示装置を三つ折りした状態では、前記発光素子は発光しない、電子機器。
【請求項４】
三つ折り可能な表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように三つ折りすることができ、
前記表示装置を三つ折りして前記表示面が見えない状態では、前記発光素子は発光しない、電子機器。
【請求項５】
湾曲または屈曲させることができる表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように湾曲または屈曲させることができ、
前記表示装置を湾曲または屈曲させた状態では、前記発光素子は発光しない、電子機器。
【請求項６】
湾曲または屈曲させることができる表示面を有する電子機器であって、
トランジスタ及び前記トランジスタと電気的に接続された発光素子が設けられた基板を有する表示装置を備え、
前記表示装置は、前記発光素子から発せられた光が前記表示面側へ射出するトップエミッション構造であり、
前記基板は可撓性を有し、
前記表示装置は、前記表示面が内側になるように湾曲または屈曲させることができ、
前記表示装置を湾曲または屈曲させて前記表示面が見えない状態では、前記発光素子は発光しない、電子機器。
【請求項７】
請求項１乃至６のいずれか一において、
タッチセンサを有し、
前記タッチセンサは、前記発光素子よりも前記表示面側に位置する、電子機器。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
画素部を有し、
前記画素部は、ダブルゲート構造である第１のトランジスタと、シングルゲート構造である第２のトランジスタと、発光素子と、を有し、
前記第１のトランジスタのソース又はドレインの一方は、前記第２のトランジスタのゲートと電気的に接続され、
前記第２のトランジスタのソース又はドレインの一方は、前記発光素子と電気的に接続され、
前記第２のトランジスタのソース又はドレインの他方は、電源線と電気的に接続され、
前記第１のトランジスタのゲートは、第１の導電層を有し、
前記第１のトランジスタのソース又はドレインの一方は、第２の導電層を有し、
前記第２のトランジスタのゲートは、第３の導電層を有し、
前記電源線は、第４の導電層を有し、
前記第１の導電層及び前記第３の導電層は、同じ層であり、
前記第２の導電層及び前記第４の導電層は、同じ層であり、
前記第２の導電層及び前記第４の導電層は、前記第１の導電層及び前記第３の導電層とは異なる層であり、
前記画素部の平面視において、前記第１の導電層と前記第２の導電層とが交差する表示装置。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
画像又は音声のデータを取り込む取込手段と、
前記取込手段によってデータが取り込まれた際に複数のフォルダが示されている選択画像を表示する表示手段と、
前記表示手段によって表示された選択画像を通じてユーザによって選択されたフォルダに前記取込手段によって取り込まれたデータを保存する保存手段と、
前記表示手段によって表示された選択画像を通じてユーザによって選択されたフォルダに対応するサーバ装置の対応フォルダに前記取込手段によって取り込まれたデータを送信するとともに当該ユーザが決定した当該データの売値を送信する送信手段と、
を備える、クライアント装置と、
前記クライアント装置の送信手段によって送信されるデータ及び当該データの売値を受信する受信手段と、
前記対応フォルダへアクセスした他のユーザが前記売値の支払をすることで前記データをダウンロードさせる売却手段と、
を備える、前記サーバ装置と、
【請求項２】
前記サーバ装置の対応フォルダの幾つかに格納されたデータをダウンロードするダウンロード用装置を備える、請求項１記載の情報提供システム。
【請求項３】
前記サーバ装置は、
複数の画像又は音声のデータとこれらに対応する提案情報とが紐付けられて格納されている格納媒体と、
前記送信手段によって送信された前記データに基づいて前記格納媒体を参照して当該データに対応する提案情報を読み出す読出手段と、
前記読出手段によって読み出された提案情報を返信する返信手段と、
を有する、請求項１記載の情報提供システム。
【請求項４】
画像又は音声のデータを取り込むステップと、
前記データを取り込む際に複数のフォルダが示されている選択画像を表示するステップと、
前記選択画像を通じてユーザによって選択されたフォルダに前記取り込んだデータを保存し、及び／又は、当該フォルダに対応する対応フォルダに前記取り込んだデータを送信するとともに当該ユーザが決定した当該データの売値を送信するステップと、
をクライアント装置に実行させ、
前記クライアント装置から送信されるデータ及び当該データの売値を受信するステップと、
前記対応フォルダへアクセスした他のユーザが前記売値の支払をすることで前記データをダウンロードするステップと、
を前記サーバ装置に実行させるプログラム。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
制御部を備えた特定個人情報アクセス制御装置であって、
前記制御部は、
特定個人情報に対し所定のシステムからアクセスがあった際、当該特定個人情報を保管している端末の識別情報を取得し、当該取得した識別情報と同じ識別情報が、データ操作を可とするデータ保管環境の識別情報を含む保管環境情報に含まれているか否かを確認する確認手段と、
前記確認手段の確認の結果、前記取得した識別情報と同じ識別情報が前記保管環境情報に含まれている場合、前記アクセスを許可し、前記確認手段の確認の結果、前記取得した識別情報と同じ識別情報が前記保管環境情報に含まれていない場合、前記端末に保管されている全ての複数の前記特定個人情報を復元不能な情報に更新した後に前記アクセスを許可する許可手段と、
を備えたこと
を特徴とする特定個人情報アクセス制御装置。
【請求項２】
前記許可手段は、前記全ての複数の前記特定個人情報の更新を、各データ間の関係性が更新前後で維持される態様で行うこと、
を特徴とする請求項１に記載の特定個人情報アクセス制御装置。
【請求項３】
前記特定個人情報は、数字を含む文字で表されるものであり、
前記許可手段は、前記全ての複数の前記特定個人情報を、連番で更新すること、
を特徴とする請求項２に記載の特定個人情報アクセス制御装置。
【請求項４】
制御部を備えた情報処理装置において実行される特定個人情報アクセス制御方法であって、
前記制御部において実行される、
特定個人情報に対し所定のシステムからアクセスがあった際、当該特定個人情報を保管している端末の識別情報を取得し、当該取得した識別情報と同じ識別情報が、データ操作を可とするデータ保管環境の識別情報を含む保管環境情報に含まれているか否かを確認する確認ステップと、
前記確認ステップの確認の結果、前記取得した識別情報と同じ識別情報が前記保管環境情報に含まれている場合、前記アクセスを許可し、前記確認ステップの確認の結果、前記取得した識別情報と同じ識別情報が前記保管環境情報に含まれていない場合、前記端末に保管されている全ての複数の前記特定個人情報を復元不能な情報に更新した後に前記アクセスを許可する許可ステップと、
を含むこと
を特徴とする特定個人情報アクセス制御方法。
【請求項５】
制御部を備えた情報処理装置の前記制御部を、
特定個人情報に対し所定のシステムからアクセスがあった際、当該特定個人情報を保管している端末の識別情報を取得し、当該取得した識別情報と同じ識別情報が、データ操作を可とするデータ保管環境の識別情報を含む保管環境情報に含まれているか否かを確認する確認手段、
前記確認手段の確認の結果、前記取得した識別情報と同じ識別情報が前記保管環境情報に含まれている場合、前記アクセスを許可し、前記確認手段の確認の結果、前記取得した識別情報と同じ識別情報が前記保管環境情報に含まれていない場合、前記端末に保管されている全ての複数の前記特定個人情報を復元不能な情報に更新した後に前記アクセスを許可する許可手段、
として機能させるための特定個人情報アクセス制御プログラム。
【手続補正２】
【補正対象書類名】明細書
【補正対象項目名】発明の名称
【補正方法】変更
【補正の内容】
【発明の名称】特定個人情報アクセス制御装置、特定個人情報アクセス制御方法、特定個人情報アクセス制御プログラム
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
方法であって、
処理装置により、画像データを処理してエンコードされたデータを生成すること、を含み、
前記処理装置により、前記エンコードされたデータから次元低減されたデータを生成することであって、前記次元低減されたデータを生成することは、前記エンコードされたデータの複数の領域のための特徴部シグネチャデータを生成することを含み、前記特徴部シグネチャデータは、前記エンコードされたデータの前記複数の領域のそれぞれの領域に関連する値を有する成分を含むものである、方法。
【請求項２】
前記特徴部シグネチャデータが、前記複数の画像領域の前記それぞれの領域に関連する特徴のサブセットの値を含む成分を有するベクトルを含む、請求項１に記載の方法。
【請求項３】
前記ベクトルは、ＡｘＮの成分を含み、Ａは、グリッド内の領域数に対応し、Ｎは、速度成分が測定されるフレームペアの数に対応するものである、請求項２に記載の方法。
【請求項４】
前記次元低減されたデータを生成することは、次元低減アルゴリズムを前記エンコードされたデータに適用することを含み、前記次元低減アルゴリズムは、特定のマシンビジョンのタスクのための前記エンコードされたデータの特徴のサブセットを選択し、前記特定のマシンビジョンのタスクのための前記エンコードされたデータの他の特徴を無視する、請求項１に記載の方法。
【請求項５】
前記画像データを処理してエンコードされたデータを生成することは、前記画像データを次元低減させることを含み、前記エンコードされたデータから前記次元低減されたデータを生成することは、前記画像データと比較してすでに次元低減された前記エンコードされたデータを追加的に圧縮することを含む追加的な次元低減作業を含む、請求項４に記載の方法。
【請求項６】
前記特徴部シグネチャデータは、前記複数の画像領域のそれぞれに対応する動作データを含み、前記動作データは、前記複数の画像領域のそれぞれに対応する速度データを含む、請求項１に記載の方法。
【請求項７】
前記エンコードされたデータに訓練されたアルゴリズムを適用することを含み、前記訓練されたアルゴリズムは、訓練データセットのエンコードされた訓練データで訓練され、前記エンコードされた訓練データが、脊椎動物の網膜の１つまたは複数の網膜細胞の入力／出力変換を実質的に模倣する入力／出力変換により特徴付けられる訓練エンコーダを使用してエンコードされ、前記訓練セットのエンコードされた訓練データが、仮想環境のエンコードされた画像を含み、前記画像データが、現実環境の未加工画像を含む、請求項１に記載の方法。
【請求項８】
前記処理装置によって、前記エンコードされたデータから１つまたは複数の網膜によりエンコードされた画像を生成すること、をさらに含み、前記次元低減されたデータを生成することは、前記１つまたは複数の網膜によりエンコードされた画像から複数の網膜画像領域のための前記特徴部シグネチャデータを生成することを含み、前記特徴部シグネチャデータは、前記１つまたは複数の網膜によりエンコードされた画像の前記複数の網膜画像領域のそれぞれの領域に関連する値を有する成分を含むものであり、
マシンビジョンアルゴリズムを前記次元低減されたデータに適用すること、をさらに含み、前記次元低減されたデータを生成することが、前記画像データを処理してエンコードされたデータを生成することの後に、かつ前記マシンビジョンアルゴリズムを前記次元低減されたデータに適用することの前に行われる、請求項１に記載の方法。
【請求項９】
前記画像データを処理することは、前記画像データを１つまたは複数の発火速度に変換することを含み、前記エンコードされたデータは発火速度のマトリクス及び網膜によりエンコードされた画像を含み、前記１つまたは複数の網膜によりエンコードされた画像は複数の画素を含み、前記複数の画素のそれぞれの画素は、前記発火速度のマトリクス中の対応する要素の発火速度値に対応するそれぞれの彩度を有する、請求項１に記載の方法。
【請求項１０】
装置であって、
画像データを記憶するように構成された少なくとも１つのメモリと、
前記メモリに作動可能に連結された少なくとも１つのプロセッサであって、
前記画像データを処理してエンコードされたデータを生成し、
前記エンコードされたデータから次元低減されたデータを生成することであって、前記次元低減されたデータを生成することは、前記エンコードされたデータから複数の画像領域のための特徴部シグネチャデータを生成することを含み、前記特徴部シグネチャデータは、前記エンコードされたデータの複数の画像領域のそれぞれの領域に関連する値を有する成分を含むものである、ように構成された装置。
【請求項１１】
前記少なくとも１つのプロセッサに作動可能に連結されたロボット装置であって、前記画像データを生成するように構成された少なくとも１つの画像センサを備えた、ロボット装置と、
前記次元低減されたデータに従って前記ロボット装置を制御するように構成されたマシンビジョンモジュールと、をさらに備えた、請求項１０に記載の装置。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
トランスＣＨＦ２ＣＦ＝ＣＣｌＨ（１２３３ｙｄＥ）、シスＣＨＦ２ＣＦ＝ＣＣｌＨ（１２３３ｙｄＺ）、及びこれらの組合せからなる群から選ばれる少なくとも１種類のモノクロロトリフルオロプロペンを含む組成物の、溶媒としての使用。
【請求項２】
前記モノクロロトリフルオロプロペンが、組成物の５重量％〜９９重量％の量で、好ましくは、組成物の５重量％〜９５重量％の量で、組成物中に存在する、請求項１に記載の使用。
【請求項３】
炭化水素、ハイドロフルオロカーボン（ＨＦＣ）、エーテル、アルコール、アルデヒド、ケトン、ギ酸メチル、ギ酸、水、トランス−１，２−ジクロロエチレン、二酸化炭素（ＣＯ２）、ジメトキシメタン（ＤＭＥ）、前記モノクロロトリフルオロプロペンと異なる第２のフルオロアルケン、及びこれらの任意の２種以上の組合せからなる群から選ばれる少なくとも１種類の追加の成分をさらに含む請求項１又は２に記載の使用。
【請求項４】
前記組成物が、少なくとも１種類のフルオロアルケン、少なくとも１種類のＨＦＣ、トランス−１，２−ジクロロエチレン、少なくとも１種類のＣ１〜Ｃ４アルコールから選ばれるアルコール、又はこれらの組み合わせからなる群から選ばれる少なくとも１種類の追加の成分をさらに含む、請求項１〜３のいずれかに記載の使用。
【請求項５】
前記組成物が、トランスＣＨＦ２ＣＦ＝ＣＣｌＨ（１２３３ｙｄＥ）、シスＣＨＦ２ＣＦ＝ＣＣｌＨ（１２３３ｙｄＺ）、及びこれらの組合せからなる群から選ばれる少なくとも１種類のモノクロロトリフルオロプロペンから本質的になる、請求項１に記載の使用。
【請求項６】
前記組成物が、トランスＣＨＦ２ＣＦ＝ＣＣｌＨ（１２３３ｙｄＥ）、シスＣＨＦ２ＣＦ＝ＣＣｌＨ（１２３３ｙｄＺ）、及びこれらの組合せからなる群から選ばれる少なくとも１種類のモノクロロトリフルオロプロペンからなる、請求項１に記載の使用。
【請求項７】
前記組成物が、トランスＣＨＦ２ＣＦ＝ＣＣｌＨ（１２３３ｙｄＥ）から本質的になる、請求項１に記載の使用。
【請求項８】
前記組成物が、シスＣＨＦ２ＣＦ＝ＣＣｌＨ（１２３３ｙｄＺ）から本質的になる、請求項１に記載の使用。
【請求項９】
前記組成物が、トランスＣＨＦ２ＣＦ＝ＣＣｌＨ（１２３３ｙｄＥ）からなる、請求項１に記載の使用。
【請求項１０】
前記組成物が、シスＣＨＦ２ＣＦ＝ＣＣｌＨ（１２３３ｙｄＺ）からなる、請求項１に記載の使用。
【請求項１１】
前記組成物が、シリコーン油を溶解するために使用される、請求項１〜１０のいずれかに記載の使用。
【請求項１２】
前記組成物が、鉱油を溶解するために使用される、請求項１〜１０のいずれかに記載の使用。
【請求項１３】
前記組成物が、ポリアルキレングリコール（ＰＡＧ）潤滑剤を溶解するために使用される、請求項１〜１０のいずれかに記載の使用。
【請求項１４】
前記組成物が、少なくとも１種のアルカロイドを抽出するために使用される、請求項１〜１０のいずれかに記載の使用。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
本体と、
本体の少なくとも１つの面上の第１保護層であって、１％以下の空孔率を有する薄膜であり、
Ｈ２／ＮＦ３プラズマ化学に曝露されたときに５２ｎｍ／ＲＦ時間±３０％以下の摩耗速度を有するＹ３Ａｌ５Ｏ１２、
Ｈ２／ＮＦ３プラズマ化学に曝露されたときに３５ｎｍ／ＲＦ時間±３０％以下の摩耗速度を有するＥｒ２Ｏ３、
Ｈ２／ＮＦ３プラズマ化学に曝露されたときに７０ｎｍ／ＲＦ時間±３０％以下の摩耗速度を有するＥｒ３Ａｌ５Ｏ１２、
Ｈ２／ＮＦ３プラズマ化学に曝露されたときに３５ｎｍ／ＲＦ時間±３０％以下の摩耗速度を有するＹ４Ａｌ２Ｏ９とＹ２Ｏ３−ＺｒＯ２の固溶体とを含むセラミックス化合物、
からなる群から選択される第１セラミックスを含む第１保護層とを含む物品。
【請求項２】
本体の少なくとも１つの面上の保護層スタックであって、少なくとも第１保護層と、第１保護層の少なくとも一部を覆う第２保護層とを含む薄膜であり、第２保護層は、第１セラミックスとは異なる第２セラミックスを含み、第２セラミックスは、Ｙ３Ａｌ５Ｏ１２、Ｙ４Ａｌ２Ｏ９、Ｅｒ２Ｏ３、Ｇｄ２Ｏ３、Ｅｒ３Ａｌ５Ｏ１２、Ｇｄ３Ａｌ５Ｏ１２、及び、Ｙ４Ａｌ２Ｏ９とＹ２Ｏ３−ＺｒＯ２の固溶体とを含むセラミックス化合物からなる群から選択される保護層スタックを含む、請求項１記載の物品。
【請求項３】
第１セラミックスはアモルファス構造を有するＹ３Ａｌ５Ｏ１２である請求項１記載の物品。
【請求項４】
第１セラミックスはアモルファス構造を有するＥｒ３Ａｌ５Ｏ１２である請求項１記載の物品。
【請求項５】
第１セラミックスはアモルファス構造を有するＹ４Ａｌ２Ｏ９とＹ２Ｏ３−ＺｒＯ２の固溶体とを含むセラミックス化合物である請求項１記載の物品。
【請求項６】
第１セラミックスは結晶又はナノ結晶構造を有するＥｒ２Ｏ３である請求項１記載の物品。
【請求項７】
物品は、チャンバ蓋、ノズル、シャワーヘッドベース、シャワーヘッド、ガス分配プレート（ＧＤＰ）、チャンバビューポート、プロセスキットリング、シールド、プラズマスクリーン、フローイコライザ、チャンバ壁及びライナキットからなる群から選択されるチャンバコンポーネントである請求項１記載の物品。
【請求項８】
本体は、Ａｌ２Ｏ３、ＡｌＮ、Ａｌ、陽極酸化Ａｌ、チタン、ステンレス鋼、石英、サファイア、Ｓｉ又はＳｉＣの少なくとも１つを含む請求項１記載の物品。
【請求項９】
第１保護層の第１粗さは、本体の少なくとも１面の第２粗さと実質的に同一である請求項１記載の物品。
【請求項１０】
第１保護層は少なくとも１面に存在しない複数の表面フィーチャを含み、複数の表面フィーチャは少なくとも、メサ、溝又はシールリングの１つを含む請求項１記載の物品。
【請求項１１】
第１セラミックは、ＣＨ４／Ｃｌ２プラズマ化学に曝露されたときに３ｎｍ／ＲＦ時間±３０％以下の摩耗速度を有するＹ４Ａｌ２Ｏ９とＹ２Ｏ３−ＺｒＯ２の固溶体とを含むセラミックス化合物である請求項１記載の物品。
【請求項１２】
第１セラミックは、ＣＨ４／Ｃｌ２プラズマ化学に曝露されたときに１ｎｍ／ＲＦ時間±３０％以下の摩耗速度を有するＹ３Ａｌ５Ｏ１２である請求項１記載の物品。
【請求項１３】
第１保護層はコンフォーマルであり、第２保護層はコンフォーマルである請求項２記載の物品。
【請求項１４】
物品は、石英又はサファイアのビューポートであり、ビューポート及び第１保護層はビューポートを介して伝送される光信号に透明である請求項１記載の物品。
【請求項１５】
第１セラミックスは、１１．３Ｅ１６Ωｍ±３０％の体積抵抗率、９．７６±３０％の誘電率、２０．１Ｗ／ｍＫ±３０％の熱伝導率、８．５ＧＰａ±３０％の硬度、又は４．４Ｅ−１0ｃｍ３／ｓ±３０％のヘルミシティの少なくとも１つを有するＹ３Ａｌ５Ｏ１２である請求項１記載の物品。
【請求項１６】
第１セラミックスは、９．６７±３０％の誘電率、１９．４Ｗ／ｍＫ±３０％の熱伝導率、又は５．５Ｅ−９ｃｍ３／ｓ±３０％のヘルミシティの少なくとも１つを有するＥｒ２Ｏ３である請求項１記載の物品。
【請求項１７】
第１セラミックスは、９ＧＰａ±３０％の硬度、９．５４±３０％の誘電率、１９．２Ｗ／ｍＫ±３０％の熱伝導率、又は９．５Ｅ−１０ｃｍ３／ｓ±３０％のヘルミシティの少なくとも１つを有するＥｒ３Ａｌ５Ｏ１２である請求項１記載の物品。
【請求項１８】
第１セラミックスは、７．８ＧＰａ±３０％の硬度、９．８３±３０％の誘電率、４．１Ｅ１６Ωｍ±３０％の体積抵抗率と、１９．９Ｗ／ｍＫ±３０％の熱伝導率、又は１．２Ｅ−９ｃｍ３／ｓ±３０％のヘルミシティの少なくとも１つを有するＹ４Ａｌ２Ｏ９とＹ２Ｏ３−ＺｒＯ２の固溶体とを含むセラミックス化合物である請求項１記載の物品。
【請求項１９】
第１保護層は、約２０ミクロンより小さな厚さを有する請求項１記載の物品。
【請求項２０】
本体は第１熱膨張係数値を有し、第１保護層は第２熱膨張係数値を有し、第２保護層は第３熱膨張係数値を有し、第２熱膨張係数値は、第１熱膨張係数値と第３熱膨張係数値との間にある、請求項１記載の物品。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
石膏系建材と、
前記石膏系建材の表面の少なくとも一部を覆う磁性層と、
無機被膜と、を有し、
前記磁性層は鉄粉と、バインダーとを含有し、
前記無機被膜は無機系難燃材料を含有し、
前記無機系難燃材料が、金属水酸化物系難燃材料、アンチモン系難燃材料、リン化合物系難燃材料、アルカリ金属珪酸塩系難燃材料から選択された１種以上である磁性層付き石膏系建材。
【請求項２】
前記無機系難燃材料が、アルカリ金属珪酸塩系難燃材料である請求項１に記載の磁性層付き石膏系建材。
【請求項３】
前記無機被膜が、前記磁性層の表面の少なくとも一部を覆うように配置されている、前記磁性層に含浸している、前記磁性層に含有されているのいずれかである請求項１または請求項２に記載の磁性層付き石膏系建材。
【請求項４】
前記無機被膜の単位面積当たりの質量が２０ｇ／ｍ２以上である請求項１から請求項３のいずれか一項に記載の磁性層付き石膏系建材。
【請求項５】
前記無機被膜の単位面積当たりの質量が３０ｇ／ｍ２以上である請求項１から請求項３のいずれか一項に記載の磁性層付き石膏系建材。
【請求項６】
前記磁性層は、前記鉄粉の単位面積当たりの含有量が０．３ｋｇ／ｍ２以上であり、密度が２．０ｇ／ｃｍ３以上である請求項１から請求項５のいずれか一項に記載の磁性層付き石膏系建材。
【請求項７】
準不燃の性能を満たす請求項１から請求項６のいずれか一項に記載の磁性層付き石膏系建材。
【請求項８】
不燃の性能を満たす請求項１から請求項６のいずれか一項に記載の磁性層付き石膏系建材。
【請求項９】
石膏系建材の表面の少なくとも一部に、鉄粉とバインダーとを含有する鉄粉含有塗材を塗工し、磁性層を形成する磁性層形成工程と、
前記磁性層に、無機被膜を形成する無機被膜形成工程を有し、
前記無機被膜は無機系難燃材料を含有し、
前記無機系難燃材料が、金属水酸化物系難燃材料、アンチモン系難燃材料、リン化合物系難燃材料、アルカリ金属珪酸塩系難燃材料から選択された１種以上である磁性層付き石膏系建材の製造方法。
【請求項１０】
前記無機系難燃材料がアルカリ金属珪酸塩系難燃材料である請求項９に記載の磁性層付き石膏系建材の製造方法。
【請求項１１】
前記無機被膜が、前記磁性層の表面の少なくとも一部を覆うように配置されている、前記磁性層に含浸している、前記磁性層に含有されているのいずれかである請求項９または請求項１０に記載の磁性層付き石膏系建材の製造方法。
【請求項１２】
前記無機被膜の単位面積当たりの質量が２０ｇ／ｍ２以上である請求項９から請求項１１のいずれか一項に記載の磁性層付き石膏系建材の製造方法。
【請求項１３】
前記無機被膜の単位面積当たりの質量が３０ｇ／ｍ２以上である請求項９から請求項１１のいずれか一項に記載の磁性層付き石膏系建材の製造方法。
【請求項１４】
前記磁性層は、前記鉄粉の単位面積当たりの含有量が０．３ｋｇ／ｍ２以上であり、密度が２．０ｇ／ｃｍ３以上である請求項９から請求項１３のいずれか一項に記載の磁性層付き石膏系建材の製造方法。
【請求項１５】
前記磁性層形成工程では、前記鉄粉含有塗材をロールコーター、フローコーター、掻き取り法のいずれかにより、前記石膏系建材の表面の少なくとも一部に塗工する請求項９から請求項１４のいずれか一項に記載の磁性層付き石膏系建材の製造方法。
【手続補正２】
【補正対象書類名】明細書
【補正対象項目名】発明の名称
【補正方法】変更
【補正の内容】
【発明の名称】磁性層付き石膏系建材、磁性層付き石膏系建材の製造方法
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
生体の間葉系組織又は培養間葉系細胞から分離されたＳＳＥＡ−３陽性の多能性幹細胞画分を有効成分とする細胞製剤であって、当該多能性幹細胞画分が、
（１）ＳＳＥＡ−３陽性であることを指標として精製されるか、又は、外部ストレス刺激により濃縮されることにより得られるものであり、ならびに
（２）以下の性質：
（ｉ）ＳＳＥＡ−３陽性であり；
（ｉｉ）ＣＤ１０５陽性であり；
（ｉｉｉ）テロメラーゼ活性が低いか又は無い；
（ｉｖ）三胚葉のいずれの胚葉の細胞に分化する能力を持つ；
（ｖ）腫瘍性増殖を示さない；及び
（ｖｉ）セルフリニューアル能を持つ
をすべて有するものであって、
当該細胞製剤が、慢性腎障害における、糸球体、遠位尿細管、又は、近位尿細管の再建及び修復を行うためのものである、前記細胞製剤。
【請求項２】
慢性腎障害が、慢性糸球体腎炎、腎硬化症、糖尿病性腎症、嚢胞腎、慢性腎盂腎炎、急速進行性糸球体腎炎、悪性高血圧症、ＳＬＥ腎炎、アミロイド腎、腎・尿路腫瘍、骨髄腫、閉塞性尿路生涯、痛風腎、腎形成不全、及び腎・尿路結核からなる群から選択される、請求項１に記載の細胞製剤。
【請求項３】
前記多能性幹細胞が、ＣＤ１１７陰性及びＣＤ１４６陰性である、請求項１又は２に記載の細胞製剤。
【請求項４】
前記多能性幹細胞が、ＣＤ１１７陰性、ＣＤ１４６陰性、ＮＧ２陰性、ＣＤ３４陰性、ｖＷＦ陰性、及びＣＤ２７１陰性である、請求項１〜３のいずれか１項に記載の細胞製剤。
【請求項５】
前記多能性幹細胞が、ＣＤ３４陰性、ＣＤ１１７陰性、ＣＤ１４６陰性、ＣＤ２７１陰性、ＮＧ２陰性、ｖＷＦ陰性、Ｓｏｘ１０陰性、Ｓｎａｉ１陰性、Ｓｌｕｇ陰性、Ｔｙｒｐ１陰性、及びＤｃｔ陰性である、請求項１〜４のいずれか１項に記載の細胞製剤。
【請求項６】
前記多能性幹細胞が、腎障害部位に集積する能力を有する、請求項１〜５のいずれか１項に記載の細胞製剤。
【請求項７】
前記多能性幹細胞が、足細胞、メサンギウム細胞、糸球体内皮細胞、傍糸球体細胞、近位尿細管細胞、遠位尿細管細胞、血管内皮細胞、ヘンレわな、及び／又は集合管の細胞からなる群から選択される１つ以上の細胞に分化する能力を有する、請求項１〜６のいずれか１項に記載の細胞製剤。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
ＳＵＲ１−ＴＲＰＭ４チャネル阻害剤を含む、脳浮腫に関連する損傷または状態の後の被験体における脳の正中線偏位を低減するための組成物であって、
該組成物は、該被験体が脳浮腫に関連する該損傷または状態を経験した後に、該被験体に投与され、
該被験体に行われる減圧開頭術と組み合わせて投与されることを特徴とする、組成物。
【請求項２】
脳浮腫に関連する損傷または状態が脳卒中である、請求項１に記載の組成物。
【請求項３】
前記減圧開頭術と組み合わせた投与が、１回または複数回の連続注入で処置されていない類似の集団と比較して、１回または複数回の連続注入で処置された患者において、脳の正中線偏位の程度に基づいて集団に対して決定すると、前記脳の正中線偏位を低減する、請求項１に記載の組成物。
【請求項４】
前記ＳＵＲ１−ＴＲＰＭ４チャネル阻害剤が、グリブリド、４−トランス−ヒドロキシ−グリベンクラミド、３−シス−ヒドロキシグリベンクラミド、トブタミド、クロルプロパミド、トラザミド、レパグリニド、ナテグリニド、メグリチニド、ミダグリゾール、トラザミド、グリキドン、ＬＹ３９７３６４、ＬＹ３８９３８２、グリクラジド、グリメピリド、ＳＵＲ１と相互作用する代謝産物、およびそれらの組合せからなる群から選択されるメンバーを含む、請求項１に記載の組成物。
【請求項５】
前記ＳＵＲ１−ＴＲＰＭ４チャネル阻害剤がグリブリドである、請求項１に記載の組成物。
【請求項６】
前記組成物が、１回または複数回の連続注入で投与されることを特徴とし、該１回または複数回の連続注入が、少なくとも７２時間にわたり累積的に続く、請求項１に記載の組成物。
【請求項７】
前記組成物が、１回または複数回の連続注入で投与されることを特徴とし、該１回または複数回の連続注入が、少なくとも９６時間にわたり累積的に続く、請求項１に記載の組成物。
【請求項８】
ボーラス用量の前記ＳＵＲ１−ＴＲＰＭ４チャネル阻害剤の後に１回または複数回の連続注入が投与されることを特徴とする、請求項１に記載の組成物。
【請求項９】
前記ＳＵＲ１−ＴＲＰＭ４チャネル阻害剤が病変の腫脹を処置するためのものである、請求項１に記載の組成物。
【請求項１０】
前記組成物が、前記脳浮腫に関連する前記損傷または状態の直後から、前記被験体が脳浮腫に関連する該損傷または状態を経験した後約１２時間まで、該被験体に最初に投与されることを特徴とする、請求項１に記載の組成物。
【請求項１１】
前記組成物が、脳浮腫に関連する前記損傷または状態の４．５時間後から、前記被験体が脳浮腫に関連する該損傷または状態を経験した後約１２時間まで、該被験体に最初に投与されることを特徴とする、請求項１に記載の組成物。
【請求項１２】
前記投与が前記減圧開頭術の前またはその最中に行われることを特徴とする、請求項１に記載の組成物。
【請求項１３】
前記投与が減圧開頭術の後に行われることを特徴とする、請求項１に記載の組成物。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
カテーテルアセンブリをプライミングするためのシステムであって、
・カテーテルアセンブリであって、
先端部を備える長尺ボディ、及び
前記先端部に配置された動作デバイス、
を備えるカテーテルアセンブリと、
・前記動作デバイスの挿入を受けるように構成されたプライミング容器と、
を備え、
前記プライミング容器が、
前記長尺ボディの前記先端部に固定され、それにより、前記長尺ボディが当該プライミング容器と流体連通する基端部と、
先端部であって、流体が前記長尺ボディを通してそして当該プライミング容器内へ導かれて前記カテーテルアセンブリ内からエアを吐出させるときに当該先端部を通してエアが吐出される、先端部と、
を備え、
前記長尺ボディに固定された前記基端部が、前記動作デバイスよりも近位側にある、
ことを特徴とするシステム。
【請求項２】
前記プライミング容器が、前記動作デバイスを収容するように構成されたプライミングハウジングを備えることを特徴とする請求項１に記載のシステム。
【請求項３】
前記プライミングハウジングが、前記長尺ボディの前記先端部を収容するように構成されていることを特徴とする請求項２に記載のシステム。
【請求項４】
前記プライミングハウジングが、漏斗状部分を備え、
前記プライミングハウジングの内径が、前記漏斗状部分内で先端から基端へ縮径していることを特徴とする請求項２に記載のシステム。
【請求項５】
前記漏斗状部分が、前記動作デバイスを前記プライミング容器に対して基端側へ移動させると、前記動作デバイスを格納構成へと折り畳むように構成されていることを特徴とする請求項４に記載のシステム。
【請求項６】
前記プライミング容器の前記基端部に接続されたシールキャップをさらに備え、
前記シールキャップが、プライミングのために前記プライミング容器をシールするように構成されていることを特徴とする請求項２に記載のシステム。
【請求項７】
前記シールキャップを前記プライミングハウジングに接続するように構成されたネジ山付コネクタをさらに備えることを特徴とする請求項６に記載のシステム。
【請求項８】
前記シールキャップが、前記プライミングハウジングから前記長尺ボディへエアを基端向きに導入することを防止するように構成され、かつ、前記プライミングハウジングの前記基端部からのプライミング流体が流出することを防止するように構成されていることを特徴とする請求項６に記載のシステム。
【請求項９】
前記シールキャップが、当該シールキャップの先端部にシール凹所を備え、前記シール凹所が、前記シールキャップを通して前記長尺ボディを延在させることを可能とするように構成されている請求項６に記載のシステム。
【請求項１０】
前記動作デバイスが、インペラーと前記インペラーの周りに位置付けられた拡張可能カニューレとを備えるインペラーアセンブリを備えることを特徴とする請求項２に記載のシステム。
【請求項１１】
前記インペラーが、拡張可能であることを特徴とする請求項１０に記載のシステム。
【請求項１２】
前記カテーテルアセンブリに流体を供給するように構成された注入システムであって、インターフェースボディを備える、注入システムと、
前記注入システムに接続されたコンソールハウジングであって、前記インターフェースボディを受けるように構成されたインターフェース開口を備える、コンソールハウジングと、
をさらに備えることを特徴とする請求項２に記載のシステム。
【請求項１３】
前記インターフェースボディが、
前記インターフェースボディ上に配置された閉塞ベッドと、
前記閉塞ベッドの近傍において前記インターフェースボディ上に設置されたチューブセグメントと、
前記インターフェースボディ上に配置された電気的構成部材と、
をさらに備え、
前記インターフェースボディが、当該インターフェースボディが前記コンソールハウジングの前記インターフェース開口内に挿入されたときに、前記コンソールハウジング内のポンプが前記チューブセグメント及び前記閉塞ベッドに対して動作可能に係合するような、なおかつ、前記コンソールハウジング内の電気的相互接続部材が当該インターフェースボディ上の前記電気的構成部材に対して電気的に接続されるような、寸法とされている、
ことを特徴とする請求項１２に記載のシステム。
【請求項１４】
カテーテルアセンブリをプライミングするための注入システムであって、当該注入システムが、
長尺ボディ及び動作デバイスを備えるカテーテルアセンブリと、
注入流体を蓄えるように構成された流体リザーバと、
前記流体リザーバと流体連通するように接続されたルアーと、
前記動作デバイスの挿入を受けるように構成されたプライミング容器であって、前記長尺ボディ及び前記ルアーと流体連通するように接続され、それにより、前記ルアーが、プライミング装置に前記注入流体を供給して前記カテーテルアセンブリからエアを吐出させるように構成されていることを特徴とする注入システム。
【請求項１５】
前記流体リザーバと前記ルアーとの間を流体連通するように接続するモータハウジングをさらに備えることを特徴とする請求項１４に記載の注入システム。
【請求項１６】
前記流体リザーバと前記モータハウジングとの間を流体連通するように接続されたインターフェースボディをさらに備えることを特徴とする請求項１５に記載の注入システム。
【請求項１７】
前記インターフェースボディが、
当該注入システムを通して注入流体をポンピングするように構成されたポンピング機構と、
当該注入システムに導入されたエアバブルを検出するように構成されたエア検出器と、
管内の圧力を検出するように構成された圧力センサと、
を備えることを特徴とする請求項１６に記載の注入システム。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
遊技を制御する主制御装置と、遊技の進行に伴い所定の演出を実行する演出制御装置と、を備える遊技機において、
前記演出制御装置は、
前記主制御装置から入力されたコマンドを解析するコマンド解析部と、
前記コマンド解析部による解析結果に基づいて、演出ブロックを選択する演出ブロック選択部と、
前記演出ブロック選択部によって選択された前記演出ブロックに基づいて演出装置を制御する演出実行部と、
を備え、
前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、
前記演出ブロック選択部は、前記分割された期間に対応する単位期間分割演出ブロックとともに、複数の前記所定の期間に跨る前記非単位期間演出ブロックを選択可能とし、
前記演出実行部は、前記分割された期間に対応する単位期間分割演出ブロックと並行して、前記非単位期間演出ブロックを実行可能とし、
前記所定の演出は、複数の予告演出が含まれ、
前記複数の予告演出のうち所定の予告演出は、前記単位期間分割演出ブロックで構成され、
前記複数の予告演出のうち前記所定の予告演出とは異なる特定の予告演出は、前記非単位期間演出ブロックで構成され、
遊技演出において、前記所定の予告演出と前記特定の予告演出とを並行して実行可能とする
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、
遊技を制御する主制御装置と、遊技の進行に伴い所定の演出を実行する演出制御装置と、を備える遊技機において、
前記演出制御装置は、
前記主制御装置から入力されたコマンドを解析するコマンド解析部と、
前記コマンド解析部による解析結果に基づいて、演出ブロックを選択する演出ブロック選択部と、
前記演出ブロック選択部によって選択された前記演出ブロックに基づいて演出装置を制御する演出実行部と、
を備え、
前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、
前記演出ブロック選択部は、前記分割された期間に対応する単位期間分割演出ブロックとともに、複数の前記所定の期間に跨る前記非単位期間演出ブロックを選択可能とし、
前記演出実行部は、前記分割された期間に対応する単位期間分割演出ブロックと並行して、前記非単位期間演出ブロックを実行可能とし、
前記所定の演出は、複数の予告演出が含まれ、
前記複数の予告演出のうち所定の予告演出は、前記単位期間分割演出ブロックで構成され、
前記複数の予告演出のうち前記所定の予告演出とは異なる特定の予告演出は、前記非単位期間演出ブロックで構成され、
遊技演出において、前記所定の予告演出と前記特定の予告演出とを並行して実行可能とする
ことを特徴とする遊技機。